(57)【要約】【課題】  本発明は、横編機を用いて特に糸色が異なる表糸と裏糸を使用したプレーティングによるワイドリブ組織を含む編地を編成する際に、編み幅端部におけるにじみを目立たなくし、綺麗なワイドリブ組織を得るための編成方法を提供する。【解決手段】  横編機を使用して、プレーティングに用いる編糸の交差が発生する側の編み幅端部において一方の編地はリブ組織の表目を、他方の編地はリブ組織の裏目を端目とし、一方の編地のリブ組織の表目を編成した後、編成方向を変えて、他方の編地のリブ組織の裏目を編成することで前記交差をワイドリブの渡り部に位置させて、編糸のにじみを目立たなくする。【選択図】図１
2005213706.tif 000002
【特許請求の範囲】
【請求項１】
左右方向に延び、かつ前後方向に互いに対向する少なくとも前後一対の針床を有し、前記針床の少なくとも一方が左右にラッキング可能で、前記針床間で編目の目移しが可能な横編機を用いて、編み幅の側端部において前側編地と後側編地が連結されて編成されるとともに、プレーティングによるワイドリブ組織を含む編地を編成する方法において、プレーティングに用いる編糸の交差が発生する側の編み幅端部において一方の編地はリブ組織の表目を、他方の編地はリブ組織の裏目を端目とし、一方の編地のリブ組織の表目を編成した後、編成方向を変えて、他方の編地のリブ組織の裏目を編成することで前記交差をワイドリブの渡り部に位置させて、編糸のにじみを目立たなくすることを特徴とするプレーティングによるワイドリブ組織を含む編地の編成方法。
【請求項２】
前記交差が発生する側の編み幅端部において、前記端目の表目と端目の裏目が編み幅方向の１〜３本離れた編針で形成されることを特徴とする請求項１に記載のプレーティングによるワイドリブ組織を含む編地の編成方法。
【発明の詳細な説明】
【技術分野】
【０００１】
本発明は、横編機を用いたプレーティングによるワイドリブ組織の編成方法に関する。
【背景技術】
【０００２】
プレーティングとは、表糸と裏糸を同時に編針に供給して編成し、形成された表目において表糸が表面に現れ、裏糸がその後側（裏側）に隠れるような給糸条件にして表糸で裏糸を包むようにする編成技術である。また、形成された裏目においては裏糸が表面に現れ、表糸がその後側（裏側）に隠れる。そのため裏糸が表糸よりもフック側に位置する必要があり、表糸用と裏糸用のヤーンフィーダーを同時に使用し、表糸用ヤーンフィーダーを先行させたり、給糸口の位置や高さが異なる二つの給糸口を有するヤーンフィーダーを使用したり、さらにキャリッジの進行方向に応じて給糸口が回転可能なヤーンフィーダー（例えば、特許文献１参照）を使用したりする。プレーティングはリバーシブルな編地を得る場合にも利用される。
【０００３】
しかし、横編機で前後の編地が編み幅の側端部で連結され、プレーティングによって、複数の表目と裏目が交互に現れるワイドリブ組織を有するニットウェア等の筒状編地を編成する場合に、以下の問題があった。尚、本明細書において筒状編地とは前後編地が編み幅の途中で途切れることがない完全な筒状の編地以外に、カーディガンのように途中で途切れたＣ字状の編地も含む。
【０００４】
特許文献２では、ヤーンフィーダーを２個使用したダブルシステム編成で筒状編地を編成した場合の編糸の交差について記載されている。筒状編地をプレーティングする場合も同じである。プレーティングする場合、常に表糸が裏糸よりも先行して給糸する必要があるが、横編機では編み幅の端部で編成方向を反転させる為、いずれか一方の編み幅の端部で表糸と裏糸の交差が生じる。交差により表糸と裏糸の上下関係が一瞬逆転した状態のまま次の編目が形成されると、ここでは本来、現れない糸が表に現れ、これが編地側端部のにじみ（色の混じり）となってしまい、商品としての価値を下げていた。横編機において、このような編糸の交差は避けることができず、筒状編地を編成する際にプレーティングは敬遠されていた。前記交差はヤーンフィーダーの種類や横編機のベッド枚数に関係なく同じである。
【０００５】
【特許文献１】国際公開第ＷＯ０１／０６４９８８号パンフレット
【特許文献２】特許第３１２１２８３号公報
【発明の開示】
【発明が解決しようとする課題】
【０００６】
本願出願の発明者は鋭利研究の結果、横編機でプレーティングによるワイドリブ組織を有する筒状編地を編成する際に、交差が発生する側の編み幅端部におけるにじみを目立たなくする編成方法を見い出すに至った。本発明はその編成方法を提供することを目的とする。
【課題を解決するための手段】
【０００７】
この発明の編成方法は、左右方向に延び、かつ前後方向に互いに対向する少なくとも前後一対の針床を有し、前記針床の少なくとも一方が左右にラッキング可能で、前記針床間で編目の目移しが可能な横編機を用いて、編み幅の側端部において前側編地と後側編地が連結されて編成されるとともに、プレーティングによるワイドリブ組織を含む編地を編成する方法において、プレーティングに用いる編糸の交差が発生する側の編み幅端部において一方の編地はリブ組織の表目を、他方の編地はリブ組織の裏目を端目とし、一方の編地のリブ組織の表目を編成した後、編成方向を変えて、他方の編地のリブ組織の裏目を編成することで前記交差をワイドリブの渡り部に位置させて、編糸のにじみを目立たなくする。
【０００８】
また、前記交差が発生する側の編み幅端部において、前記端目の表目と端目の裏目を編み幅方向の１〜３本離れた編針で形成する。
【発明の効果】
【０００９】
本発明の編成方法は、横編機を用いてプレーティングによるワイドリブ組織を含む筒状編地を編成し、プレーティングに用いる編糸の交差をワイドリブの渡り部に位置させ、編地の特性上、表目と裏目の端目部分は互いにカールし合う為、にじみ部は隠れるようになって目立たなくすることができる。
【００１０】
また、編糸の交差が発生する側において、端目の表目と端目の裏目を編み幅方向の１〜３本離れた編針で形成することでリブ間の渡り糸が長くなり、更ににじみ部は隠れるようになって目立たなくすることができる。
【発明を実施するための最良の形態】
【００１１】
次に本発明の実施形態を図面に基づいて説明する。
【００１２】
図１は本実施形態で編成されるプレーティングによるワイドリブ編地１の編成工程図である。ワイドリブは各３目の表目（実線）と裏目（破線）からなる３Ｘ３リブ組織で、前側編地２と後側編地３は端部において繋がった筒状の編地である。
【００１３】
本実施形態では、前後一対に配設した前下部針床ＦＤと後下部針床ＢＤと、それらの上部に配設した前上部針床ＦＵと後上部針床ＢＵを備えた４枚ベッド横編機を使用し、編成には上部針床の編針をａ〜ｒ、下部針床の編針をＡ〜Ｒを使用するものとする。ワイドリブ編地１の編成には、前下部針床ＦＤに前側編地２を、後下部針床ＢＤに後側編地３を付属させて、前側編地２の表目は前下部針床ＦＤで、裏目は後上部針床ＢＵで編成し、後側編地３の表目は後下部針床ＢＤで、裏目は前上部針床ＦＵで編成する。４は表糸用のヤーンフィーダー、５は裏糸用のヤーンフィーダーを示し、図においてヤーンフィーダー４はヤーンフィーダー５より手前のトラックを使用し、先行して給糸する。
【００１４】
なお、本実施形態では、４枚ベッド横編機を使用するが、本発明は前後一対の針床を有し、前後の針床間で目移しが可能な、いわゆる２枚ベッド横編機を使用することもできる。この場合は対向する針床に裏目を編成するための空き針を設けた公知の針抜き編成を行なえばよい。
【００１５】
図１のステップ１は、プレーティングによるワイドリブ編成の前コースが完了した時の針床係止状態である。前側編地２の表目は前下部針床ＦＤの編針Ａ〜Ｃ，Ｇ〜Ｉ，Ｍ〜Ｏ，裏目は前下部針床ＦＤの編針Ｄ〜Ｆ，Ｊ〜Ｌ，Ｐ〜Ｒに係止され、後側編地３の表目は後下部針床ＢＤの編針Ｄ〜Ｆ，Ｊ〜Ｌ，Ｐ〜Ｒ，裏目は後下部針床ＢＤの編針Ａ〜Ｃ，Ｇ〜Ｉ，Ｍ〜Ｏに係止されている。
【００１６】
ステップ２〜ステップ４は、ステップ１に続いて前側編地２を図の左向きに編成していく工程を示す。
【００１７】
ステップ２で、前側編地２の裏目を前下部針床ＦＤの編針Ｄ〜Ｆ，Ｊ〜Ｌ，Ｐ〜Ｒから後上部針床ＢＵの編針ｄ〜ｆ，ｊ〜ｌ，ｐ〜ｒへ目移しする。
【００１８】
ステップ３で、ヤーンフィーダー４はヤーンフィーダー５より先行して給糸し、前側編地２の表目は前下部針床ＦＤの編針Ａ〜Ｃ，Ｇ〜Ｉ，Ｍ〜Ｏで編成し、前側編地２の裏目は後上部針床ＢＵの編針ｄ〜ｆ，ｊ〜ｌ，ｐ〜ｒで編成する。
【００１９】
ステップ４で、前側編地２の裏目を後上部針床ＢＵの編針ｄ〜ｆ，ｊ〜ｌ，ｐ〜ｒから前下部針床ＦＤの編針Ｄ〜Ｆ，Ｊ〜Ｌ，Ｐ〜Ｒへ目移しする。ヤーンフィーダー４，５は図に示す位置で停止し、先行してヤーンフィーダー４から給糸される表糸はヤーンフィーダー５から給糸される裏糸の下側に位置している。
【００２０】
ステップ５〜ステップ７は、編成方向を反転し、ステップ４に続いて後側編地３を図の右向きに編成していく工程を示す。
【００２１】
ステップ５で、後側編地３の裏目を後下部針床ＢＤの編針Ａ〜Ｃ，Ｇ〜Ｉ，Ｍ〜Ｏから前上部針床ＦＵの編針ａ〜ｃ，ｇ〜ｉ，ｍ〜ｏへ目移しする。
【００２２】
ステップ６で、ヤーンフィーダー４はヤーンフィーダー５より先行して給糸し、後側編地３の表目は後下部針床ＢＤの編針Ｄ〜Ｆ，Ｊ〜Ｌ，Ｐ〜Ｒで編成し、後側編地３の裏目は前上部針床ＦＵの編針ａ〜ｃ，ｇ〜ｉ，ｍ〜ｏで編成する。
【００２３】
ステップ７で、後側編地３の裏目を前上部針床ＦＵの編針ａ〜ｃ，ｇ〜ｉ，ｍ〜ｏから後下部針床ＢＤの編針Ａ〜Ｃ，Ｇ〜Ｉ，Ｍ〜Ｏへ目移しする。ヤーンフィーダー４，５は図に示す位置で停止し、先行してヤーンフィーダー４から給糸される表糸はヤーンフィーダー５から給糸される裏糸の下側に位置している。
【００２４】
プレーティングする場合、常にヤーンフィーダー４から給糸される表糸がヤーンフィーダー５から給糸される裏糸よりも先行して給糸する必要がある為、ステップ６での編成が開始される前にステップ４の状態からヤーンフィーダー４はヤーンフィーダー５を追い越すように反転し、ステップ６の前上部針床ＦＵの編針ａへヤーンフィーダー５より先行して表糸を給糸しなければならない。従って、ステップ４で表糸は裏糸の下側に位置していた為、表糸は裏糸を乗り越えて上下関係が反転する。そして、その関係を保ったまま前上部針床ＦＵの編針ａで編まれた目は、ステップ７で後下部針床ＢＤへ目移しされる。このようにして図において左側の前後編地の境界であるワイドリブの渡り部、つまり前側編地２の端目（表目）と後側編地３の端目（裏目）の間で編糸の交差が発生する。
【００２５】
これ以降はステップ２〜ステップ７を所定の回数繰り返せばよい。
【００２６】
同様にステップ３での編成が開始される前にステップ７の状態からヤーンフィーダー４はヤーンフィーダー５を追い越すように反転し、ステップ３の後上部針床ＢＵの編針rへヤーンフィーダー５より先行して表糸を給糸しなければならない。しかし、ここでは前記のように表糸が裏糸を乗り越えて上下関係が反転することはなく、渡り部には編糸の交差が発生しない。
【００２７】
上記のように、編み幅の側端部で前後の編地が連結され、プレーティング編成によるワイドリブ組織を編成すると、一方の編み幅の端部において編糸の交差が発生する。これが、にじみの原因となる。
【００２８】
図２は、図１の左端部の編地を自然な状態に展開したものである。本実施形態では、前側編地２はリブ組織の表目を、後側編地３はリブ組織の裏目を端目とし、更に前側編地２のリブ組織の表目を編成した後、編成方向を変えて、後側編地３のリブ組織の裏目を編成することで、編糸の交差をワイドリブの渡り部６に位置させており、編地の特性上、表目と裏目の端目部分は互いにカールし合う為、にじみ部は隠れるようになって目立たなくすることができる。特に糸色が異なる表糸と裏糸を使用したプレーティングによるワイドリブ組織の編成には効果があり、見栄えの良い、綺麗な編地が得ることができる。
【００２９】
また本実施形態では、編糸の交差が発生する側の前後編地の各端目（図１のステップ１において、前下部針床ＦＤの編針Ａと後下部針床ＢＤの編針Ａの編目）は対向する位置であるが、１〜３目分ずらすことも可能である。そうすれば、編糸の交差が発生する渡り部６を長くすることができ、端部に発生するにじみ部を更に目立たなくすることができる。
【００３０】
尚、本実施形態では、前後編地が完全に繋がった筒状編地であったが、図３に示すような前側編地１２と後側編地１３が端部で連結され、前側編地１２が編み幅の途中で途切れたＣ字状編地１１についても同様である、図のような針立てとし、１４を表糸用のヤーンフィーダー、１５を裏糸用のヤーンフィーダーとして、公知のＣ字編成で、Ｗ及びＹ方向に編成した時にそれぞれの渡り部において交差が発生し、Ｚ及びＸ方向の編成では交差は発生しない。このように両端の渡り部において、交差が発生してにじみの原因になるが、表目と裏目の端目部分は互いにカールし合う為、にじみ部は目立たなくなる。
【００３１】
尚、本実施形態では、ヤーンフィーダーを２個使用したが、給糸口の位置や高さが異なる二つの給糸口を有するヤーンフィーダーを使用したり、さらにキャリッジの進行方向に応じて給糸口が回転可能なヤーンフィーダーを使用してもよい。
【産業上の利用可能性】
【００３２】
本発明の編成方法はプレーティングによるワイドリブ組織を含むニットウェアなどの筒状編地の編成に幅広く利用できる。
【図面の簡単な説明】
【００３３】
【図１】本実施形態で編成されるプレーティングによるワイドリブの編成工程を示した図。
【図２】本実施形態における左端部の編地を展開した状態を示した図。
【図３】Ｃ字状編地の編成における針床係止状態を示した図。
【符号の説明】
【００３４】
１…ワイドリブ編地、２…前側編地、３…後側編地、４…表糸用ヤーンフィーダー、５…裏糸用ヤーンフィーダー、６…渡り部、１１…Ｃ字状編地、１２…前側編地、１３…後側編地、１４…表糸用ヤーンフィーダー、１５…裏糸用ヤーンフィーダー
【図１】
2005213706.tif 000003
【図２】
2005213706.tif 000004
【図３】
2005213706.tif 000005